(57)【要約】【課題】簡易な方法によりマクロ撮像を可能とする撮像装置を備えた携帯端末を提供する。【解決手段】筐体１４の内部にマクロ撮像を可能とする撮像装置２を備える携帯端末１において、筐体１４の一側面に開口部４を形成し、撮像装置２を筐体１４の内部であって開口部４から所定の距離離れた位置に開口部４に対して光軸が向くように設けた。【選択図】      図１
2004274461.tif 000002
【特許請求の範囲】
【請求項１】
筐体の内部にマクロ撮像を可能とする撮像装置を備える携帯端末において、
前記筐体の一側面に開口部を形成し、前記撮像装置を前記筐体の内部であって前記開口部から所定の距離離れた位置に前記開口部に対して光軸が向くように設けたことを特徴とする携帯端末。
【請求項２】
前記所定の距離は、マクロ撮像に適した焦点距離に相当する距離であることを特徴とする請求項１に記載の携帯端末。
【請求項３】
前記撮像装置により撮像された撮像画像データに含まれる情報コードについてデコード処理を行うように制御する制御部を備えたことを特徴とする請求項１又は２に記載の携帯端末。
【発明の詳細な説明】
【０００１】
【発明の属する技術分野】
本発明は、携帯端末に係り、特に、マクロ撮像を可能とする撮像装置を備えた携帯端末に関するものである。
【０００２】
【従来の技術】
近年、携帯端末やＰＨＳ（Ｐｅｒｓｏｎａｌ  Ｈａｎｄｙｐｈｏｎｅ  Ｓｙｓｔｅｍ）等の通信端末機（以下、統括して「携帯端末」と称す）にカメラ等の撮像装置を備える撮像装置付き携帯端末が提案されている。このような撮像装置付き携帯端末は、いつでも簡易に撮像を行うことができる点が評価されて一般に広く普及しており、それに伴って、多機能化が進んでいる。多機能化の一例としては、例えば、通常の撮像を行う撮像装置のほかにいわゆるマクロ撮像（接写）を行う撮像装置を備え、通常撮像モードと、マクロ撮像モードとを切り換える切換え機構を備えた携帯端末が発明されている（例えば、特許文献１参照）。
【０００３】
【特許文献１】
特開２００２−２６２１６４号公報
【０００４】
特に近時は、画像データや音声データ等の様々な大容量の情報をコード化する技術が開発されつつあり、これを携帯端末の備える撮像装置によってマクロ撮像し、コード化された情報を解読処理することができれば、コード化された情報内容を瞬時に携帯端末内に取り込むことが可能となる。
【０００５】
そこで、従来からこうした情報コードをマクロ撮像することが行われているが、従来は、マクロ撮像を行う場合にも通常撮像を行う場合と同様にユーザが撮像装置を備える携帯端末を手に持って所定のコード等の上に構え、撮像動作を行っていた。
【０００６】
【発明が解決しようとする課題】
この点、撮像にあたっては、画像がボケを生じないように焦点を調節する必要があり、マクロ撮像を行う場合には、通常、レンズから被写体までの距離が２８ｍｍ程度に固定されているときに最も焦点が合い、鮮明な画像を得ることができるとされている。
しかしながら、撮像にあたって携帯端末を手に持ったまま撮像を行うと手ぶれ等による画像の劣化を起こしやすく、特にマクロ撮像を行う場合には、手ぶれによる画像への影響はかなり大きいという問題がある。このことは、コード情報の取得を目的とした撮像のように正確な画像情報の取得を必要とする場合には特に問題となる。
【０００７】
他方で、適切な焦点距離を得るために別途三脚等の携帯端末を固定するための器具を必要としたのでは、手軽に撮像を行うことが困難となり、いつでも簡易に撮像を行うことができるという撮像装置付き携帯端末のメリットを損なう結果となる。
【０００８】
そこで、本発明は以上のような課題を解決すべくなされたものであり、簡易な方法によりマクロ撮像を可能とする撮像装置を備えた携帯端末を提供することを目的とするものである。
【０００９】
【課題を解決するための手段】
上記課題を解決するため、請求項１に記載の発明は、筐体の内部にマクロ撮像を可能とする撮像装置を備える携帯端末において、
前記筐体の一側面に開口部を形成し、前記撮像装置を前記筐体の内部であって前記開口部から所定の距離離れた位置に前記開口部に対して光軸が向くように設けたことを特徴としている。
【００１０】
このような構成を有する請求項１に記載の発明においては、携帯端末の開口部が被写体の上に位置するように置くことによってマクロ撮像を行うことができる。したがって、ユーザは、携帯端末を手に持つことなくマクロ撮像を行うことができるため、手ぶれによる画像の劣化を生じることなく容易にマクロ撮像を行うことができる。
【００１１】
次に、請求項２に記載の発明において、前記所定の距離は、マクロ撮像に適した焦点距離に相当する距離であることを特徴としている。
【００１２】
このような構成を有する請求項２に記載の発明においては、携帯端末を被写体上に置いたときにマクロ撮像を行う場合に最適な焦点距離を得られる位置に撮像装置を配置している。したがって、ユーザは、マクロ撮像を行うに際して自ら撮像装置の焦点を微調整することなく携帯端末を被写体上に置くだけで容易にマクロ撮像を行うことができる。
【００１３】
また、請求項３に記載の発明は、前記撮像装置により撮像された撮像画像データに含まれる情報コードについてデコード処理を行うように制御する制御部を備えたことを特徴としている。
【００１４】
このような構成を有する請求項３に記載の発明においては、情報コードを読み取る場合には、解読手段により情報コードが解読され、表示制御手段により解読された情報コードの情報内容が表示部に表示され、実行手段により解読された情報コードの情報内容に基づく動作が実行されるので、ユーザは特別な操作を行うことなく情報コードの情報内容を取得することができる点で優れている。
【００１５】
【発明の実施の形態】
以下、添付図面を参照しつつ本発明の実施の形態における携帯端末１について説明する。
まず、図１に示すように、本実施形態における携帯端末１は、縦長のほぼ直方体形状に形成される筐体１４を有しており、筐体１４の一方の面（正面）には液晶表示器等からなる表示部７及び複数の操作キーからなる入力部８が設けられており、また、前記筐体１４の表示部７が設けられている側の端部にはアンテナ５が設けられている。
前記筐体１４の両側面は平板状に形成されており、また、筐体１４の内部であって表示部７が設けられている側の端部には、一側面から他方の側面に向かって筒状の撮影用ガイド孔９が形成されている。この撮影用ガイド孔９は前記筐体１４の一側面に開口部４を有しており、撮影用ガイド孔９の長手方向であって開口部が形成されている側の反対側の一端には開口部４に対して光軸が向くように撮像装置２が配設されている。なお、前記開口部４から撮像装置２までの所定の距離はマクロ撮像を行うのに最適な焦点距離に相当する距離であり、一般には開口部４から撮像装置２のレンズまでの間が２８ｍｍ程度離れていることが望ましい。撮影用ガイド孔９の内部であって撮像装置２の近傍には、撮像の際に光源を提供する照明装置３が設けられている。
【００１６】
本実施形態において撮像装置２は、図２に示すように、一枚の基板２１の一方の面上に、光を感じるセンサとなるＣＣＤ（Ｃｈａｒｇｅ  Ｃｏｕｐｌｅｄ  Ｄｉｏｄｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型等のイメージセンサからなる薄板状の撮像素子２２が取り付けられており、この撮像素子２２の上面中央には画素が２次元状に配列された光電変換部２３が形成されている。光電変換部２３の外側近傍には、結線用端子（図示せず）が配置されている。この結線用端子には、図２に示すように、ワイヤＷが接続されており、結線用端子は、このワイヤＷを介して基板２１の所定の回路に接続されている。
【００１７】
撮像素子２２の上には、透明なプラスチックを材料とする光学部材２０が配置されている。この光学部材２０は、撮像素子２２の光電変換部２３に被写体像を結像させるものであり、図３に示すように、円筒状のレンズ支持部２０ｂと、この支持部２０ｂに支持される凸レンズ形状のレンズ部２０ａとが一体的に形成されている。なお、このレンズ支持部２０ｂの下端は、前記撮像素子２２の上面に当接している。
【００１８】
なお、レンズ部２０ａは、マクロ撮像可能な焦点距離を有するように形成されている。また、光学部材２０は、小型の携帯端末１に内蔵できるようにするために、光軸方向の高さが１５ｍｍ以下であることが望ましい。
【００１９】
レンズ支持部２０ｂの上端であって、レンズ部２０ａの周囲には、遮光性のある材料からなり、レンズ部２０ａの絞り値（Ｆ値）を規定する第１の絞りとしての開口を有する絞り板２６が接着されている。
絞り板２６の開口は、マクロ撮像処理に適するように、通常撮像用の場合よりも開口面積が小さく形成されている。そして、レンズ部２０ａと撮像素子２２との距離や、絞り板２６の絞り値等により、マクロ撮像が可能な焦点距離を得られるようになっている。
【００２０】
光学部材２０の外側には、遮光性のある素材からなる外枠部材としての鏡枠２７が配置されている。鏡枠２７は四角柱状に形成されており、この内側面には、水平方向に延在する支持部２８が一体に形成されている。支持部２８の内側面は光学部材２０のレンズ支持部２０ｂの外側面に当接されており、光学部材２０を支持している。鏡枠２７の下端部は、基板２１の上に鏡枠２７が取り付けられる際の接着部位となる箇所であって、図２に示すように、鏡枠２７の内側面と外側面とにおいて、側面から底面に向かって所定の角度で切り欠かれ、傾斜面を有する切欠部が形成されている。鏡枠２７の下部が基板２１の上に取り付けられる際には、前記傾斜面と基板２１との間に接着剤Ｂが塗布され、固着される。
【００２１】
一方、鏡枠２７の上端には、中央に第２の絞りとしての開口を有する遮光板２４が接着剤Ｂにより固着されている。遮光板２４は、鏡枠２７の上端の開口部よりわずかに大きく形成され、この開口部を塞ぐようになっている。
【００２２】
また、遮光板２４の中央の開口の下方には、赤外線吸収特性を有する素材からなるフィルタ２５が接着剤Ｂにより固着されている。なお、本実施形態において、撮像装置２は、基板２１と鏡枠２７と遮光板２４とフィルタ２５とが密着し接合しているため、防塵、防湿の構造を有する。
【００２３】
光学部材２０と遮光板２４との間には、遮光板２４から各撮像素子２２に向かう力が加わった際にその力を吸収して各撮像素子２２が破損することを防ぐために、例えば、コイルバネ等の緩衝作用を有する弾性部材により構成された押圧部材２９が配置されている。
【００２４】
次に、本実施形態における制御装置について説明する。
図３に示すように、本実施形態において、制御装置を構成する制御部６は、ＣＰＵ（Ｃｅｎｔｒａｌ  Ｐｒｏｃｅｓｓｉｎｇ  Ｕｎｉｔ）６ａ、書き換え可能な半導体素子で構成されるＲＡＭ（Ｒａｎｄｏｍ  Ａｃｃｅｓｓ  Ｍｅｍｏｒｙ）６ｂ、不揮発性の半導体メモリで構成されるＲＯＭ（Ｒｅａｄ  Ｏｎｌｙ  Ｍｅｍｏｒｙ）６ｃ等から構成されており、ＲＯＭ６ｃには、図示しない、携帯端末１の基本動作制御プログラム、通信処理プログラム、表示部７に表示するための表示用データ、撮像に関するパラメータデータ（自動撮像用のデフォルトの設定データ、プレビュー撮像用のデフォルトの設定データ）等の他、撮像制御プログラムＣ１、デコード処理プログラムＣ２が記憶されており、ＣＰＵ６ａは、これらのプログラムに従って各種の処理を行うようになっている。
制御部６には、前記入力部８、ＬＣＤ（Ｌｉｑｕｉｄ  Ｃｒｙｓｔａｌ  Ｄｉｓｐｌａｙ）パネル等により構成される表示部７、前記撮像装置２及び、照明装置３の他、無線基地局（図示せず）との間で着信や発信等に係る無線信号の送受信を行うアンテナ５を有する無線通信部１１、電源制御部１２及び、送受話部１０等が、バス１３により接続されている。
【００２５】
次に、撮像装置２付き携帯端末１の作用について説明する。
入力部８又は無線通信部１１から各種指示又はデータが入力されると、ＣＰＵ６ａはこれら指示又はデータに従って、ＲＯＭ６ｃに記憶されている各種プログラムの中から指定されたプログラムをＲＡＭ６ｂの作業領域に展開し、この指示及びデータにより上記プログラムに従って各種処理を実行する。例えば、入力部から所定の電話番号及び通話の指示が入力されると、ＣＰＵはＲＯＭに格納されている通信処理プログラムを読み出してＲＡＭの作業領域に展開するとともに無線通信部１１に対して無線基地局への発信を指示する処理を行う。そして、ＣＰＵ６ａは、実行された処理の処理結果をＲＡＭ６ｂの所定の領域に格納するとともに、表示部７に表示させる。
【００２６】
ＣＰＵ６ａの行う各種の処理のうち撮像制御処理について詳説すると、まず、入力部８からユーザの撮像操作の指示が入力されると、ＣＰＵ６ａは、ＲＯＭ６ｃに記憶される撮像制御プログラムＣ１を読み出してＲＡＭ６ｂに展開する。そして、ユーザが携帯端末１の開口部４が被写体の上に位置するように被写体上に携帯端末１を置き、入力部８の所定のボタンを押下すると、前記撮像制御プログラムＣ１に従って、撮像処理の制御の開始指示を撮像装置２及び照明装置３に出力する。ここで、被写体は、例えば情報をコード化した二次元コードである。
【００２７】
ＣＰＵ６ａからの指示を受けて照明装置３が発光し、被写体に光を照射する。照射された光は被写体に反射して光学部材２０に入射し、撮像素子２２の光電変換部２３に被写体の像が結像される。撮像装置２は、得られた像を撮像画像データに変換しこのデータを順次、制御部６に出力する（ステップＳ１０１）。
【００２８】
ＣＰＵ６ａは、撮像装置２より順次入力される撮像画像データを、ＲＡＭ６ｂに格納するとともに、この撮像画像をフレームレート２５ｆｐｓで表示部７に表示させるプレビュー表示処理を実行する（ステップＳ１０２）。
【００２９】
次に、ＣＰＵ６ａは、ＲＯＭ６ｃに記憶されているデコード処理プログラムを読み出してＲＡＭ６ｂに展開し、このデコード処理プログラムに従って、コードの読取、及び解読処理の制御を開始する（ステップＳ１０３〜ステップＳ１０４）。
具体的には、まず、ＣＰＵ６ａは、被写体の撮像画像データから二次元コードを読み取り、次に、認識された二次元コードについてデコード処理を実行してコード化された情報を解読し（ステップＳ１０３）、その二次元コードのコード情報内容を表示部７に表示させる（ステップＳ１０４）。
【００３０】
ここで、表示部７に表示されるコード情報内容としては、例えば、ＵＲＬアドレス、電子メールアドレス等の文字情報や、任意の画像情報等である。
【００３１】
なお、コード情報内容としての文字情報、画像情報等の表示部７に表示可能な内容の他、例えば、コード情報内容が音声情報である場合、送受話部１０から放音処理を実行する構成であってもよい。
【００３２】
次いで、ＣＰＵ６ａは、ユーザによる入力部の操作により、表示部７に表示されたコード情報内容に対する所定の処理の指示信号が入力されたか否かを判断し（ステップＳ１０５）、指示信号が入力されたと判断した場合（ステップＳ１０５：Ｙｅｓ）には、該指示に応じた処理を実行する（ステップＳ１０６）。
【００３３】
ここで、コード情報内容に対する所定の処理（ステップＳ１０６）とは、例えば、コード情報内容がＵＲＬアドレスである場合には、無線通信部１１に対する該ＵＲＬアドレスへの接続指示、コード情報内容が電子メールアドレスである場合には、該電子メールアドレス宛の電子メールの作成指示、コード情報内容が、電話番号、電子メールアドレス又は表示部７の表示画像等である場合にはＲＡＭ６ｂの記憶領域内にあるアドレス帳等適切な場所への保存指示等であるが、これらに限定されるものではない。
【００３４】
ＣＰＵ６ａは、指示信号が入力されたと判断して（ステップＳ１０５：Ｙｅｓ）、その指示に応じた処理を実行した場合（ステップＳ１０６）及びユーザからの指示信号の入力がないと判断した場合には（ステップＳ１０５：Ｎｏ）、ＣＰＵ６ａは、ユーザの入力部の操作により、撮像処理の終了指示が入力されたか否かを判断し（ステップＳ１０７）、入力されたと判断した場合には、撮像装置２に撮像処理の終了指示を出力することにより、本撮像制御処理を終了する。
【００３５】
一方、ＣＰＵ６ａは、撮像処理の終了指示の入力がないと判断した場合（ステップＳ１０７：Ｎｏ）は、ステップＳ１０１に移行し、以降の処理を繰り返す。
【００３６】
このように、本実施形態における携帯端末１は、筐体側面に形成された開口部４が被写体の上に位置するように被写体の上に置くだけでマクロ撮像に適した焦点距離を確保できるため、ユーザが焦点を微調整する必要がなく、簡易にマクロ撮像を行うことができる。
【００３７】
また、携帯端末１を置いた状態で撮像動作を行うため、手ぶれによる画像の劣化を防止することができ、特にコード情報の取り込みを目的とする場合のように正確な画像データを取得する必要のある場合に鮮明な画像を得ることができる点で優れている。
【００３８】
さらに、上述の撮像制御処理においては、撮像装置２による被写体の撮像画像データの取得処理、及びその撮像画像データのプレビュー表示処理と平行して、該撮像画像データ中の所定の二次元コードデータの読み取り、及び二次元コードデータのデコード処理が自動的に実行される。従って、ユーザは、面倒な設定をしなくとも通常の撮像処理の場合と同様の操作をすることによって、例えば、名刺や雑誌等に付けられている二次元コード化された情報を携帯端末１に取り込むことができ、利便性に優れている。
【００３９】
なお、上記において、情報コードの一例として二次元コードを用いて説明を行ったが、二次元コードに限定されるものではなく、例えば、バーコード、カラーコード等どのような情報コードであってもよい。
【００４０】
また、本実施形態においては、携帯端末１が携帯電話機である場合について説明したが、本発明の携帯端末１は、携帯電話機に限定されず、ＰＨＳ、パーソナルコンピュータ、ＰＤＡ等であってもよい。
【００４１】
【発明の効果】
以上説明したように、請求項１に記載された発明は、携帯端末を置いた状態で撮像動作を行うため、手ぶれによる画像の劣化を防止することができる。したがって、特にコード情報の読み取り等の手ぶれによる影響の大きいマクロ撮像を行う場合にも鮮明な画像を得ることができ、正確なコード情報認識が可能となるという効果がある。
【００４２】
また、請求項２に記載された発明は、撮像装置を携帯端末内部であって携帯端末を被写体上に置いたときにマクロ撮像を行う場合に最適な焦点距離を得られる位置に配置している。したがって、ユーザは、マクロ撮影を行うに際して自ら撮像装置の焦点を微調整する必要がなく携帯端末を被写体上に置くだけで容易にマクロ撮像を行うことができるという効果がある。
【００４３】
さらに、請求項３に記載された発明は、コード化された情報を携帯端末に取り込む場合には、解読手段により情報コードが解読され、表示制御手段により解読された情報コードの情報内容が表示部に表示され、実行手段により解読された情報コードの情報内容に基づく動作が実行されるので、ユーザは特別な操作を行うことなく簡易かつ迅速に情報コードの情報内容を取得することができるという効果がある。
【図面の簡単な説明】
【図１】本実施形態における携帯端末を模式的に表した正面図である。
【図２】本実施の形態における撮像装置を示す断面図である。
【図３】本実施形態における制御を表したブロック図である。
【図４】本実施形態における制御の流れを示したフローチャートである。
【符号の説明】
１  携帯端末
２  撮像装置
３  照明装置
４  開口部
６  制御部
６ａ  ＣＰＵ
６ｂ  ＲＡＭ
６ｃ  ＲＯＭ
Ｃ１  撮像制御プログラム
Ｃ２  デコード処理プログラム
９  撮影用ガイド孔
１４  筐体
２０  光学部材
２０ａ  レンズ部
２０ｂ  レンズ支持部
２１  基板
２２  撮像素子
２３  光電変換部
【図１】
2004274461.tif 000003
【図２】
2004274461.tif 000004
【図３】
2004274461.tif 000005
【図４】
2004274461.tif 000006